(57)【要約】【課題】  画像情報を用いて処理システムの処理内容を画像情報により提示し、課題解決に必要な処理システムを迅速かつ的確に提供する。【解決手段】水処理システムを表示する水処理システム表示装置（２）であって、画像情報を提示する情報提示部（８）と、前記情報提示部の画面に水処理システムの少なくとも要素または要素群を表す第１の表示部（１８−１）と、前記画面に前記要素または前記要素群で処理される処理水を含む処理内容を表す第２の表示部（１８−２）と、前記画面に前記第２の表示部の前記表示に関連付けられて少なくとも処理コストまたは処理のメリットの何れかを表す第３の表示部（１８−３）とを備える。【選択図】        図１
2017182529.tif 000002
【特許請求の範囲】
【請求項１】
水処理システムを表示する水処理システム表示装置であって、
画像情報を提示する情報提示部と、
前記情報提示部の画面に水処理システムの少なくとも要素または要素群を表す第１の表示部と、
前記画面に前記要素または前記要素群で処理される処理水を含む処理内容を表す第２の表示部と、
前記画面に前記第２の表示部の前記表示に関連付けられて少なくとも処理コストまたは処理のメリットの何れかを表す第３の表示部と、
を備えることを特徴とする水処理システム表示装置。
【請求項２】
画像情報を表示する表示装置に搭載されたコンピュータで実行するための水処理システム表示プログラムであって、
情報提示部に画像情報を提示する機能と、
前記情報提示部の画面に水処理システムの少なくとも要素または要素群を表す第１の表示部を生成する機能と、
前記画面に前記要素または前記要素群で処理される処理水を含む処理内容を表す第２の表示部を生成する機能と、
前記画面に前記第２の表示部の表示に関係付けられて少なくとも処理コストまたは処理のメリットの何れかを表す第３の表示部を生成する機能と、
を前記コンピュータに実行させるための水処理システム表示プログラム。
【請求項３】
コンピュータを用いて水処理システムを画像表示する水処理システム表示方法であって、
情報提示部に画像情報を提示する工程と、
前記情報提示部の画面に水処理システムの少なくとも要素または要素群を表す第１の表示部を生成する工程と、
前記画面に前記要素または前記要素群で処理される処理水を含む処理内容を表す第２の表示部を生成する工程と、
前記画面に前記第２の表示部の表示に関係付けられて少なくとも処理コストまたは処理のメリットの何れかを表す第３の表示部を生成する工程と、
を備えることを特徴とする水処理システム表示方法。
【請求項４】
水処理システムを表示する水処理表示システムであって、
画像情報を提供するホスト装置と、
前記ホスト装置と有線または無線で接続された情報処理端末と、
少なくとも前記情報処理端末に前記画像情報を提示する情報提示部と、
を備え、前記情報提示部の画面に水処理システムの少なくともの要素または要素群を表す第１の表示部と、
前記画面に前記要素または前記要素群で処理される処理水を含む処理内容を表す第２の表示部と、
前記画面に前記第２の表示部の前記表示に関連付けられて少なくとも処理コストまたは処理のメリットの何れかを表す第３の表示部と、
を表示することを特徴とする水処理表示システム。
【発明の詳細な説明】
【技術分野】
【０００１】
本発明は、水処理システムの編成や処理内容などの各種情報の表示技術に関する。
【背景技術】
【０００２】
上水や下水などの被処理水を処理する水処理システムには水処理設備や薬品などが用いられ、最適化、低コスト化が求められている。
【０００３】
この水処理に関し、情報を表示する表示装置が備えられ、水質などの原水情報、設備性能情報、薬剤情報、薬注情報、薬剤の算出結果などの各種の情報を表示することが知られている（たとえば、特許文献１）。
【０００４】
また、水処理の支援システムに関し、分離膜のファウリング蓄積量、洗浄影響情報、膜交換情報、動力コスト情報、洗浄計画情報などを計算し、その計算結果を表示することが知られている（たとえば、特許文献２）。
【先行技術文献】
【特許文献】
【０００５】
【特許文献１】特開２０１４−１２４５６９号公報
【特許文献２】特開２０１４−２３７０７２号公報
【発明の概要】
【発明が解決しようとする課題】
【０００６】
ところで、水処理システムについて、稼働中のシステムの課題を分析し、該システムに代わる最適な処理や新規システムを迅速かつ容易にあるいは的確に客先に提案することは極めて重要であるが、それを担当する営業スタッフが共有することは容易ではない。
【０００７】
現状のシステムにおける課題は個別的且つ具体的であるし、その内容は専門性が高く、的確に把握することは熟練を要する。この熟練には相当な訓練や経験を必要とするという課題がある。
【０００８】
また、処理システムにおける課題を認識しても、その課題を解決できる処理システムを即座に提示できなければ、折角の処理システムが無駄になるし、その提案に時間を要すれば、無意味である。的確に課題を把握し、その課題解決の処理システムを提案できなければ、客先および提案側双方に不利益を生じるという課題がある。
【０００９】
そこで、本発明の目的は斯かる課題に鑑み、画像情報を用いて処理システムの処理内容を画像情報により提示し、課題解決に必要な処理システムを迅速かつ的確に提供することにある。
【課題を解決するための手段】
【００１０】
上記目的を達成するため、本発明の水処理システム表示装置の一側面によれば、水処理システムを表示する水処理システム表示装置であって、画像情報を提示する情報提示部と、前記情報提示部の画面に水処理システムの少なくとも要素または要素群を表す第１の表示部と、前記画面に前記要素または前記要素群で処理される処理水を含む処理内容を表す第２の表示部と、前記画面に前記第２の表示部の前記表示に関連付けられて少なくとも処理コストまたは処理のメリットの何れかを表す第３の表示部とを備えればよい。
【００１１】
上記目的を達成するため、本発明の水処理システム表示プログラムの一側面によれば、画像情報を表示する表示装置に搭載されたコンピュータで実行するための水処理システム表示プログラムであって、情報提示部に画像情報を提示する機能と、前記情報提示部の画面に水処理システムの少なくとも要素または要素群を表す第１の表示部を生成する機能と、前記画面に前記要素または前記要素群で処理される処理水を含む処理内容を表す第２の表示部を生成する機能と、前記画面に前記第２の表示部の表示に関係付けられて少なくとも処理コストまたは処理のメリットの何れかを表す第３の表示部を生成する機能と、を前記コンピュータに実行させる。
【００１２】
上記目的を達成するため、本発明の水処理システム表示方法の一側面によれば、コンピュータを用いて水処理システムを画像表示する水処理システム表示方法であって、情報提示部に画像情報を提示する工程と、前記情報提示部の画面に水処理システムの少なくとも要素または要素群を表す第１の表示部を生成する工程と、前記画面に前記要素または前記要素群で処理される処理水を含む処理内容を表す第２の表示部を生成する工程と、前記画面に前記第２の表示部の表示に関係付けられて少なくとも処理コストまたは処理のメリットの何れかを表す第３の表示部を生成する工程とを備えればよい。
【００１３】
上記目的を達成するため、本発明の水処理システム表示方法の一側面によれば、水処理システムを表示する水処理表示システムであって、画像情報を提供するホスト装置と、前記ホスト装置と有線または無線で接続された情報処理端末と、少なくとも前記情報処理端末に前記画像情報を提示する情報提示部と、を備え、前記情報提示部の画面に水処理システムの少なくとも要素または要素群を表す第１の表示部と、前記画面に前記要素または前記要素群で処理される処理水を含む処理内容を表す第２の表示部と、前記画面に前記第２の表示部の前記表示に関連付けられて少なくとも処理コストまたは処理のメリットの何れかを表す第３の表示部とを表示すればよい。
【発明の効果】
【００１４】
本発明によれば、次のような効果が得られる。
【００１５】
(1) 情報処理端末としてたとえば、ＰＣ、スマートフォン、タブレット端末などを用いることにより、客先の水処理システムが持つ現状処理の問題や、現状処理に代わる新規の処理内容をビジュアル的にたとえば、単一画面で表示できる。
【００１６】
(2) 現状処理の問題点や新規の処理の内容を迅速かつ的確に提示でき、提供したい内容について、画面表示を通して客先と容易に共有できる。
【００１７】
(3) 提示すべき内容を的確に表示できる一方、客先の要望を反映した画像や文字を表示でき、情報を迅速に共有化できる。
【００１８】
(4) 表示装置にはＰＣ、スマートフォン、タブレット端末の表示画面を用いて表示できるが、表示装置の大画面を用いて拡大表示し、提案内容のアピール度を高めることができる。
【００１９】
(5) 客先からの要望などを反映させた情報表示を行うことができる。
【図面の簡単な説明】
【００２０】
【図１】一実施の形態に係る水処理システム表示装置および提示画面表示を示す図である。
【図２】情報表示の処理手順を示すフローチャートである。
【図３】水処理システム表示装置の一実施例を示す図である。
【図４】一実施例に係る水処理システム表示装置を示す図である。
【図５】表示画面群の一例を示す図である。
【図６】水処理要素の一例を示す図である。
【図７】データベースの一例を示す図である。
【図８】表示画面の遷移形態を示す図である。
【図９】提案メニューの画面表示例を示す図である。
【図１０】提案書画面群を示す図である。
【図１１】回収装置画面群を示す図である。
【図１２】水量入力画面群を示す図である。
【図１３】単価入力画面群を示す図である。
【図１４】運転条件入力画面群を示す図である。
【図１５】単価計算シート画面群を示す図である。
【図１６】提案書画面を示す図である。
【図１７】回収装置提示画面を示す図である。
【図１８】水量入力画面を示す図である。
【図１９】単価入力画面を示す図である。
【図２０】単価計算シート画面に対する入力手順を示す図である。
【図２１】運転条件入力画面を示す図である。
【図２２】他の実施の形態に係る水処理表示システムを示す図である。
【発明を実施するための形態】
【００２１】
〔第１の実施の形態〕
【００２２】
図１のＡは、本発明の第１の実施の形態に係る水処理システム表示装置を示している。図１のＡに示す構成は一例であり、斯かる構成に本発明が限定されるものではない。
【００２３】
この水処理システム表示装置２は、水処理を必要とする事業者などの顧客に新規提案や改善提案などの提案情報を提示するシステムである。この水処理システム表示装置２ではたとえば、コンピュータで構成し、機能部として情報入力部４、情報処理部６、情報提示部８および記憶部１０が備えられる。これら機能部はバス１２によって連係される。
【００２４】
情報入力部４には情報処理部６の制御などにより、キーボード、タッチパネルなどの情報入力手段を用いて情報が入力される。
【００２５】
情報処理部６はたとえば、コンピュータで構成され、プロセッサ、記憶部などを備え、提案支援ツールを実行し、新規の提案情報、顧客先の既存情報に対する改善情報、付随情報、導入メリットなどの関連情報などの提示情報を生成する。
【００２６】
情報提示部８は、情報処理部６から提示情報を受けるとともに情報処理部６による制御により、たとえば、ディスプレイにより画面表示などを行う。
【００２７】
記憶部１０には、画面表示の処理に用いられるプログラムの他、各種データを格納したデータベース（ＤＢ）１４が備えられる。
【００２８】
図１のＢは、情報提示部８の出力情報を示している。この出力情報はたとえば、ディスプレイの表示画面１６の表示内容である。
【００２９】
この表示画面１６には、複数の表示部の一例として、第１の表示部１８−１、第２の表示部１８−２、第３の表示部１８−３が含まれる。
【００３０】
表示部１８−１には水処理システムを表すシステム情報２０−１が表示される。このシステム情報２０−１には水処理システムの少なくとも単一の要素２２または要素群２２Ｍが含まれる。要素群２２Ｍには、２以上の要素２２として、要素２２−１、２２−２・・・２２−Ｎが含まれる。
【００３１】
各要素２２−１、２２−２・・・２２−Ｎは処理槽、薬剤など、システム情報２０−１に表示される水処理システムの構成単位であり、処理水や被処理水を含んでよい。要素群２２Ｍはたとえば、２以上の要素を含む。画像で表示される水処理システムは、稼働中のシステム、シュミレーションシステム、設計中のシステムなど、いずれでもよい。
【００３２】
表示部１８−２には水処理システムによって得られる処理水や処理内容などの処理情報２０−２が表示される。処理水は、被処理水、中間処理水、最終処理水のいずれでもよい。
【００３３】
表示部１８−３には表示部１８−１または表示部１８−２に関連付けられて少なくとも処理コストまたは処理のメリットの何れかを含むメリット情報２０−３が表示される。
【００３４】
図２は、表示処理の処理手順の一例を示している。この処理手順は、本発明の水処理システム表示プログラムの実行により得られる処理、または水処理システム表示方法の一例である。
【００３５】
この処理手順では、水処理システム表示装置２を起動させ（Ｓ１０１）、情報入力に基づき、情報処理部６が情報生成を実行する（Ｓ１０２）。情報提示部８では、少なくとも表示部１８−１、１８−２、１８−３を生成し（Ｓ１０３）、表示画面１６に表示部１８−１、１８−２、１８−３を表示させる（Ｓ１０４）。
【００３６】
情報処理部６は、少なくともシステム情報２０−１の要素２２−１、２２−２・・・２２−Ｎまたは要素群２２Ｍを選択する（Ｓ１０５）。つまり、これら要素２２−１、２２−２・・・２２−Ｎまたは要素群２２Ｍはあらかじめ準備・パターン化された要素情報または要素群情報から選択されるが、この時点で要素２２−１、２２−２・・・２２−Ｎまたは要素群２２Ｍを生成させてもよい。情報提示部８の表示画面１６の表示部１８−１に要素２２または要素群２２Ｍを表示させる（Ｓ１０６）。
【００３７】
情報処理部６は、水処理システムによって得られる処理水や処理内容などの処理情報２０−２を生成させる（Ｓ１０７）。表示部１８−２にこの処理情報２０−２を表示させる（Ｓ１０８）。
【００３８】
表示部１８−１、１８−２の表示に関係付けられて少なくとも処理コストまたはメリットの何れかを演算する（Ｓ１０９）。表示部１８−３に処理コストまたはメリットなどのメリット情報２０−３を表示させる（Ｓ１１０）。
【００３９】
＜一実施の形態の効果＞
【００４０】
この水処理システム表示装置２によれば、次の効果が得られる。
【００４１】
(1) 表示部１８−１、１８−２、１８−３に現状または新規提案に係る水処理システムのシステム情報２０−１、処理情報２０−２、メリット情報２０−３を表示し、そのシステム内容、処理内容、処理コストやメリットなどを画像情報で認識させることができる。現状処理の問題点や新規の処理の内容を迅速かつ的確に提示するので、改善内容または提案内容を顧客側と提示者で容易に共有できる。
【００４２】
(2) 提示すべき内容を的確に表示できる一方、顧客側の要望を反映したシステムを表示でき、情報の比較と共有化を迅速に行うことができる。
【００４３】
(3) 水処理システム表示装置２にパーソナルコンピュータ（ＰＣ）、スマートフォン、タブレット端末などの情報処理端末を用いて顧客の水処理システムが持つ現状処理の問題や新規提案を迅速かつ簡易に提示することができる。
【００４４】
(4) この水処理システム表示装置２によれば、水処理システムの説明や販売の支援ツールとして利用することができる。
【実施例】
【００４５】
図３は、一実施例に係る水処理システム表示装置の一利用形態を示している。この利用形態は、提案者２４から顧客２５に対し、水処理システムをプレゼンテーションに利用するケースである。提案者２４側にはＰＣ２６が備えられ、このＰＣ２６を水処理システム表示装置２として機能させる。このＰＣ２６にはディスプレイ２８−１が備えられ、外部のディスプレイ装置２８−２と連係され、ディスプレイ２８−１およびディスプレイ装置２８−２の同期表示が可能である。
【００４６】
提案者２４は、ＰＣ２６を起動させ、ディスプレイ２８−１およびディスプレイ装置２８−２に提案情報を表示させる。ディスプレイ２８−１の表示を確認しながらＰＣ２６を操作し、ディスプレイ装置２８−２の表示情報を顧客２５に視認させることができる。これにより、提案者２４および顧客２５は、提示情報としてシステム情報２０−１、処理情報２０−２およびメリット情報２０−３を共有化できる。
【００４７】
ＰＣ２６に顧客２５側のたとえば、ＰＣ２６−１、２６−２を連係させ、提示情報をＰＣ２６−１、２６−２側のディスプレイに表示させてもよい。
【００４８】
図４は、水処理システム表示装置２として機能させるＰＣ２６の一例を示している。このＰＣ２６にはプロセッサ３２、記憶部３４、入出力部（Ｉ／Ｏ）３６、タッチパネル３８、通信部４０およびディスプレイ２８−１が備えられ、これらをバス４１で連係させている。この例ではＰＣ２６に外部のディスプレイ装置２８−２が連係されて水処理システム表示装置２を構成している。ディスプレイ装置２８−２は外部のコンピュータ装置でよく、水処理システム表示装置２に外部のコンピュータや表示装置を含んでよい。
【００４９】
プロセッサ３２は、記憶部３４にあるＯＳ（Operating System）を起動し、提案支援ツールなどの各種プログラムを実行する。記憶部３４は、ハードディスク装置や、半導体記憶装置などの記録媒体を備え、ＯＳ、プログラム、情報源としてＤＢ１４を格納している。この記憶部３４には、ＲＯＭ（Read-Only Memory）、ＥＥＰＲＯＭ（Electrically Erasable Programmable Read-Only Memory ）、ＲＡＭ（Random-Access Memory）などが含まれる。ＲＡＭは、情報処理のタスクエリアを提供する。
【００５０】
Ｉ／Ｏ３６は、データの入出力に用いられる。タッチパネル３８は操作入力部の一例であり、情報入力に用いられ、キーボードやマウスなどの入力機器を備えてよい。このタッチパネル３８はたとえば、ディスプレイ２８−１の前面に配置され、ディスプレイ２８−１の表示情報に対してタッチにより情報を入力できる。
【００５１】
通信部４０は専用回線、公衆回線により他のコンピュータに通信接続される。この通信接続は、有線または無線のいずれでもよい。
【００５２】
＜データ構造およびＤＢ１４＞
【００５３】
図５は、水処理システム表示装置２に用いられる画面構造の一例を示している。この画面構造には入力情報または入力画面として提案メニュー画面（以下単に「提案メニュー」と称する）４２、この提案メニュー４２にリンクする各種情報、出力情報または出力画面として提案書画面（以下単に「提案書」と称する）４３−１、４３−２・・・４３−１０および複数の回収装置提示画面（以下単に「回収装置」と称する）４５−１・・・４５−１０が含まれる。提案書４３−１、４３−２・・・４３−１０は、本発明の一例であり、一実施の形態（図１のＢ）における表示部１８−１、１８−２、１８−３の一例である。
【００５４】
提案メニュー４２は、導入画面のトップページに展開されるメニュー情報たとえば、表示画面である。この提案メニュー４２には、複数のアイディア情報４４−１、４４−２・・・４４−１０、複数の関連情報（豆知識、節水とは？）４６−１、４６−２、実績マップ４８が含まれる。関連情報４６−１には複数ページに亘る情報が含まれ、各ページに備えるリンクボタンのタッチにより所望のページに遷移可能である。同様に、関連情報４６−２には複数ページに亘る情報が含まれ、各ページに備えたリンクボタンのタッチにより原画面に遷移可能とすればよい。
【００５５】
アイディア４４−１には水量入力４４−１１、単価入力４４−１２、運転条件入力４４−１３、提案書４３−１、回収装置４５−１の各画面が含まれる。単価入力４４−１２には、単価計算シート４４−１２１が含まれる。
【００５６】
アイディア４４−２には水量入力４４−２１、単価入力４４−２２、運転条件入力４４−２３、提案書４３−２が含まれる。単価入力４４−２２には、水処理に関わるユーティリティ、つまり、提案する工場の地域で変わるたとえば、電気、ガス、蒸気などの単価を入力する。その他のアイディア４４−３・・・４４−１０も同様な画面構造である。
【００５７】
図６は、表示情報の演算に用いられる水処理要素のデータ構造を示している。水処理システムの一例である水処理要素５０には、タンク５２、ポンプ５４、複数の改質装置５６−１、５６−２・・・５６−Ｎ、制御装置５８が含まれる。改質装置５６−１には膜分離装置５６−１１、逆浸透膜装置５６−１２、ＵＶ処理殺菌器５６−１３などが含まれ、改質装置５６−２・・・５６−Ｎも同様である。
【００５８】
図７は、ＤＢ１４の格納情報の一例を示している。ＤＢ１４には改質装置毎のランニングコスト６０−１、薬品添加によるランニングコスト６０−２などが含まれる。改質装置毎のランニングコスト６０−１には改質装置６０−１１、コスト６０−１２が含まれる。改質装置６０−１１には提案する水処理の処理量に応じて、改質装置のサイズ（型式）、数量、消費電力など、コスト６０−１２は点検、洗浄、部品交換などのメンテナンス種別毎のコストであり、頻度６０−１２１、単価６０−１２２が含まれる。提案する水処理の処理量は、既述の水量入力で入力した情報である。水量入力では、工場全体で利用している水の補給水量を入力する。補給水量は「上水／市水」「工業用水」「井水」など水量単価が異なる水種別で区分けし、それぞれを入力する。また、提案アイディアが排水回収であれば、回収利用する工程の使用水量や回収量などの水量を入力する。頻度６０−１２１は年単位の回数または提案対象の水処理の処理水量／時間単位のメンテナンス回数を表す情報である。単価６０−１２２は、メンテナンス１回あたりのコストである。
【００５９】
薬品添加によるランニングコスト６０−２には原水水質に含まれる処理対象物質濃度と必要薬品添加量の関係式６０−２１、原水水質に含まれる水質に応じたｐＨ調整剤添加量計算式６０−２２、回収先の水質条件に応じた水質調整剤添加量（塩素濃度など）計算式６０−２３などが含まれる。
【００６０】
＜表示画面の遷移＞
【００６１】
図８は、ディスプレイ２８−１、ディスプレイ装置２８−２の表示画面の遷移形態を示している。
【００６２】
提案メニュー４２は、アイディア群４４Ｍ、提案書群４３Ｍ、回収装置群４５Ｍまたは関連情報４６のいずれかの画面にリンクしており、矢印で示すように、これら相互間で画面遷移が可能である。
【００６３】
アイディア群４４では、提案メニュー４２の画面から選択されたアイディアに対応する水量入力群４４Ｍ１が選択される。水量入力群４４Ｍ１、単価入力群４４Ｍ２、運転条件入力群４４Ｍ３の各画面は、選択されたアイディアを媒介として選択され、アイディア毎に画面間で遷移可能であるとともに、提案書群４３Ｍ、回収装置群４５Ｍとの間で画面間の遷移が可能である。また、提案書群４３および回収装置群４５Ｍの画面間での遷移が可能である。
【００６４】
＜提案メニュー４２＞
【００６５】
図９は、提案メニュー４２の一例を示している。この提案メニュー４２は提示情報の画像による表示例である。この提案メニュー４２には、一画面中の表示情報としてタイトル部６４、テーブル７０および実績マップ７２が含まれる。
【００６６】
タイトル部６４には、顧客名６４−１、タイトル６４−２、ガイド６４−３、リンクボタン６４−４、６４−５、６４−６が含まれる。顧客名６４−１には提案書４３−１、４３−２・・・４３−１０の全部またはいずれかの提案先である顧客名が表示される。タイトル６４−２には、提案メニュー４２の名称としてたとえば、提案メニューが明示される。ガイド６４−３には処理段階を示すとともに、入力操作のガイド情報としてたとえば、「ＳＴＥＰ１：アイディアを選択してください」が明示される。リンクボタン６４−４、６４−５、６４−６は操作説明書、水処理の説明、用語集などにリンクさせればよい。
【００６７】
テーブル７０には、アイディア７０−１および提案書表示７０−２が含まれる。アイディア７０−１にはアイディア群４４がアイディア番号とともに、アイディアタイトルおよびリンクボタン７４−１、７４−４、７４−５、７４−６、７４−７、７４−９、７４−１０が明示される。リンクボタン７４−１、７４−４・・・７４−１０はたとえば、アイディア７０−１中のアイディアに属している回収装置４５−１、４５−４・・・４５−１０にリンクしている。
【００６８】
提案書表示７０−２は、アイディア７０−１のアイディアに対応する提案書の作成が完了していれば、完了表示としてたとえば、「○」、未完了であれば、未完了表示としてたとえば、空欄となる。ここで、アイディアに対する提案書の作成完了は、水量入力・単価入力・条件入力の入力状態に応じて、アイディアの対象となる水処理のランニングコストや  適用した場合のメリット計算が終了していることである。
【００６９】
実績マップ７２にはアイディアの各アイディアを網羅するシステムマップが表示され、このシステムマップ上の関係箇所にアイディア番号が表示されている。このアイディア番号はアイディア７０−１のアイディア番号に符号する。システムマップには各要素を特定する略称や記号、処理内容としてたとえば、新水、用水処理、洗浄処理などが表示されている。
【００７０】
＜提案メニュー４２への入力＞
【００７１】
この提案メニュー４２では、画面表示を全画面表示に遷移させ、画面上に提案メニュー４２を展開させた後、タイトル部６４にタッチすると、タイトル部６４に対する入力が有効化される。この顧客名６４−１に顧客名を入力すると、アイディア４４−１の提案書４３−１のタイトル部７６（図１６）のタイトルに顧客名が反映される。
【００７２】
この提案メニュー４２において、アイディア項目７０−１中のいずれか、たとえば、アイディア１の「Ｘ１」にタッチすれば、提案メニュー４２から「Ｘ１」が選択され、「Ｘ１」の水量入力４４−１１（図１８）に遷移させることができる。
【００７３】
＜データおよび表示画面＞
【００７４】
提案書群４３Ｍには図１０に示すように、複数の提案書４３−１、４３−２・・・４３−１０が含まれ、回収装置群４５Ｍには図１１に示すように、複数の回収装置４５−１、４５−４、４５−５、４５−６、４５−７、４５−９、４５−１０が含まれる。
【００７５】
提案メニュー４２から選択されるアイディアに対応する水量入力群４４Ｍ１には図１２示すように、複数の水量入力画面（以下単に「水量入力」と称する）４４−１１、４４−２１・・・４４−１０１が含まれ、単価入力群４４Ｍ２には図１３に示すように、複数の単価入力画面（以下単に「単価入力」と称する）４４−１２、４４−２２・・・４４−１０２が含まれ、また運転条件入力群４４Ｍ３には図１４に示すように、複数の運転条件入力画面（以下単に「運転条件入力」と称する）４４−１３、４４−２３・・・４４−１０３が含まれる。
【００７６】
単価入力４４から遷移する単価計算シート群４４Ｍ２１には図１５に示すように、単一または複数の単価計算シート画面（以下単に「単価計算シート」と称する）４４−１２１、４４−２２１・・・４４−１０２１が含まれる。
【００７７】
＜提案書画面＞
【００７８】
提案書群４３Ｍから選択されたたとえば、提案書４３−１には図１６に示すように、タイトル部７６、コメント７８、提案表示８０、メリット部８２、リンク部８４が含まれる。
【００７９】
タイトル部７６には提案元７６−１、顧客名７６−２およびタイトル７６−３が含まれる。タイトル７６−３は提案メニュー４２のアイディア４４−１と一致する。
【００８０】
コメント７８には提案コンセプト７８−１、改善予想７８−２、特記７８−３が含まれる。提案コンセプト７８−１には提案情報のコンセプトなどが明示される。改善予想７８−２にはたとえば、テーブル表示を含み、テーブルにはたとえば、「良質排水回収」では水質項目に導電率、濁度、遊離有効塩素などを含み、良質排水、回収水、回収水使用先などの情報が明示される。これにより、改善予想を視覚的に容易に認識させることができる。特記７８−３には特質すべきメリットや留意事項を記載すればよい。
【００８１】
提案表示８０は既述の表示部１８−１、１８−２の一例である。この提案表示８０には提案情報の内容を明示し、たとえば「節水量と節水の仕組み」について、枠囲みされた表示面にシステムマップ８０−１、水処理システムの複数の要素８０−２の改善前および改善後の比較情報８０−３、節水量８０−４、メリット８０−５、提案装置の稼働状況８０−６が明示される。システムマップ８０−１は提案する水処理システムの１または２以上の要素８０−２を含む最小限の回路情報を開示すればよい。要素８０−２にはこの例では、タンク、「新水」、「ボイラー補給水」、「製品水」、「良質排水」、「ＮａＣｌＯ」、「排水」などが含まれる。節水量８０−４には年間節水量が表示されるとともに、メリット部８２側に向けた矢印８０−７を備え、視線を節水量８０−４からメリット部８２側に誘導する。メリット８０−５には水原単位削減効果、提案装置の稼働状況８０−６には回収率、設計水量および稼働率がテーブルにより提示される。節水量８０−４、メリット８０−５および稼働状況８０−６は文字表示を損なわない範囲で重ねられ、情報の連関性を明示すればよい。
【００８２】
メリット部８２は既述の表示部１８−３の一例であり、このメリット部８２にはメリット８２−１、メリット内訳８２−２、ランニングコスト８２−３、イニシャルコスト８２−４、投資回収年８２−５が含まれる。メリット８２−１にはたとえば、年単位のコストメリット、メリット内訳８２−２にはメリットの内訳としてたとえば、止水、用水処理、純水処理、排水処理、下水、熱回収、薬品、節電などの項目について数値情報が提示される。ランニングコスト８２−３には年当たりのコスト、その内訳が明示され、イニシャルコスト８２−４にはコスト、投資回収年８２−５には投資回収年が明示される。
【００８３】
リンク部８４にはリンクボタン８４−１、８４−２、８４−３、８４−４、８４−５が含まれる。リンクボタン８４−１をタッチすれば、現在の表示画面から提案メニュー４２に遷移可能である。リンクボタン８４−２をタッチすれば、現在の表示画面から水量入力４４−１１に遷移可能である。リンクボタン８４−３をタッチすれば、現在の表示画面から単価入力４４−１２に遷移可能である。リンクボタン８４−４をタッチすれば、現在画面から運転条件入力４４−１３に遷移可能である。リンクボタン８４−５をタッチすれば、回収装置実績として回収装置４５−１に遷移可能である。
【００８４】
＜回収装置４５−１＞
【００８５】
回路装置群４５Ｍから選択されたたとえば、回収装置４５−１には図１７に示すように、タイトル部８６、フロー８８、配置９０、要約９２、特徴事項９４、リンク部９６が含まれる。
【００８６】
タイトル部８６には、アイディア４４−１に所属する回収装置４５−１のタイトルが表示されている。このタイトルにはたとえば、「良質排水の設備用水系への回収」が表示されている。
【００８７】
フロー８８にはフローチャート８８−１、実施内容８８−２が含まれる。実施内容８８−２にはテーブルが明示され、一例として一般細菌数やＴＯＣ（Total Organic Carbon:
全有機炭素）などを明示すればよい。
【００８８】
配置９０には装置９０−１、内容９０−２などが含まれ、タンクの容量や寸法が明示される。
【００８９】
要約９２には、項目９２−１およびその内容９２−２が明示され、要約情報が明示される。
【００９０】
特徴事項９４には「特徴」、「配慮点」が明示され、「特徴」には特徴事項、「配慮点」には配慮すべき事項が明示されている。
【００９１】
リンク部９６にはリンクボタン９６−１が明示され、このリンクボタン９６−１にタッチすれば、遷移前の画面表示に戻ることができる。
【００９２】
＜水量入力４４−１１＞
【００９３】
水量入力群４４Ｍ１のひとつである水量入力４４−１１には図１８に示すように、タイトル部９８、テーブル１００、１０２、水量入力単位１０４、提案書シート反映チェック１０６、リンク部１０８が含まれる。
【００９４】
タイトル部９８にはタイトル９８−１、ガイド９８−２、入力タブ９８−３、９８−４、９８−５、リンクボタン９８−６、９８−７、９８−８が含まれる。
【００９５】
タイトル９８−１には、提案メニュー４２のアイディア７０−１から選択されているアイディア１の「Ｘ１」が表示されている。
【００９６】
ガイド９８−２には処理手順の第１段階を表すたとえば、「ＳＴＥＰ２：データを入力してください」が表示される。
【００９７】
入力タブ９８−３、９８−４、９８−５は、画面遷移の方向を示唆する矢印内に、リンク先を表す「水量入力」、「単価入力」、「運転条件入力」が明示されている。
【００９８】
現在選択中の水量入力４４−１１では、入力タブ９８−３が現在の画面表示を表す活性状態表示としてたとえば、網掛け表示、着色表示、コントラストなどの表示形態により、他の入力タブ９８−４、９８−５を区別すればよい。
【００９９】
リンクボタン９８−６は提案メニュー４２にリンクし、リンクボタン９８−７は提案書４３−１にリンクし、リンクボタン９８−８はヘルプ情報にリンクしている。
【０１００】
テーブル１００は、複数の入力項目に対応する項目欄、入力欄、単位欄、年間換算量欄を含むテーブルが備えられる。項目欄にはたとえば、「上水使用量」、「井水使用量」、「製品仕込水量」が含まれる。入力欄にはたとえば予め準備された必要な数値が選択可能であり、入力をガイドするたとえば、網掛け表示、着色表示、コントラストなどにより、他の欄と区別されている。
【０１０１】
テーブル１０２は、タイトルとして「対象設備」が明示され、複数の入力項目に対応する項目欄、入力欄、単位欄、年間換算量欄を含むテーブルが備えられる。項目欄には「良質排水量」、「回収水ご使用先の水使用量」「イニシャルコスト」が含まれる。入力欄には必要な数値が入力可能であり、入力をガイドするたとえば、網掛け表示、着色表示、コントラストなどにより、他の欄と区別すればよい。
【０１０２】
水量入力単位１０４には、タイトルとして「単位」が明示され、入力部１０４−１および表示部１０４−２が含まれる。入力部１０４−１には準備された期間から選択された期間が入力される。表示部１０４−２には入力年や、演算結果である時間が表示される。
【０１０３】
提案書シート反映チェック１０６にはタイトルとして「提案シート反映チェック」が表示され、たとえば、項目欄および反映結果欄を備えたテーブルが含まれる。項目欄には「コストメリット」、「節水量」、「水原単位」、「投資回収年」、「水フロー」が含まれ、各項目に対して反映結果欄には、入力情報が反映されているか否かを表す表示としてたとえば、「○」または「×」が表示される。「○」は反映されていること、「×」は反映されていないことを示す。
【０１０４】
リンク部１０８にはリンクボタン１０８−１、１０８−２が備えられる。リンクボタン１０８−１は前画面への遷移「戻る」に対応し、リンクボタン１０８−２は次画面への遷移「次へ」に対応する。タッチにより前画面または次画面への遷移が可能である。
【０１０５】
＜水量入力４４−１１への入力＞
【０１０６】
この水量入力４４−１１では、水量入力単位１０４の入力欄にタッチすると、入力欄が選択される。この入力部１０４−１には、選択可能な複数の期間を表すリストが用意され、展開したリストからいずれかの単位を選択すればよい。たとえば、「年間入力」を選択すれば、表示部１０４−２に入力年数が表示される。
【０１０７】
選択した期間が稼働時間に自動的に変換され、表示部１０４−２に稼働時間が表示される。この場合、表示部１０４−２には操作者またはユーザに対する説明情報として、稼働時間数の説明情報の表示たとえば、「この値と入力値の積が年間換算量になります」と表示される。
【０１０８】
水量入力４４−１１では、テーブル１００の入力欄に入力を促す表示としてたとえば、他の入力欄と異なる着色表示となる。
【０１０９】
テーブル１００の入力欄にタッチすれば、キーボードが表示され、このキーボード中の置数指示キーにタッチすれば、テンキーおよび記号入力モードに移行する。このテンキーを利用し、入力欄に水量を入力すればよい。他の入力欄も同様に入力することができる。
【０１１０】
この水量入力４４−１１において、リンクボタン９８−６にタッチすれば、表示画面が提案メニュー４２に遷移し、リンクボタン９８−７にタッチすれば、提案書４３−１に遷移することができる。
【０１１１】
＜入力チェック＞
【０１１２】
水量入力の後、「対象設備」の入力欄などに未入力が存在すれば、提案書シート反映チェック１０６の反映欄に、未入力となっている項目毎に入力を表す表示「○」または未入力を表す表示「×」が現れる。未入力があっても、提案書４３−１の出力に影響はない。たとえば、水原単位、投資回収年、水フローが欠足していても提案書４３−１の出力に影響しない。提案書４３−１の表示内容から欠足情報の有無を確認し、欠落している入力が該当する画面に遷移して欠足情報を追完すればよい。
【０１１３】
＜単価入力４４−１２＞
【０１１４】
水量入力４４−１１から遷移した単価入力４４−１２には図１９に示すように、タイトル部１１２、テーブル１１４、１１６、１１８、リンク部１２０が含まれる。
【０１１５】
タイトル部１１２にはタイトル１１２−１、ガイド１１２−２、入力タブ１１２−３、１１２−４、１１２−５、リンクボタン１１２−６、１１２−７、１１２−８が含まれる。
【０１１６】
タイトル１１２−１には、提案メニュー４２から選択されたアイディア７０−１の「Ｘ１」が表示されている。
【０１１７】
ガイド１１２−２には処理手順の第１段階を表すたとえば、「ＳＴＥＰ２：データを入力してください」が表示される。
【０１１８】
入力タブ１１２−３、１１２−４、１１２−５は、画面の遷移方向を示す矢印内に、遷移先を表す「水量入力」、「単価入力」、「運転条件入力」が明示されている。
【０１１９】
現在選択されている単価入力４４−１２では、入力タブ１１２−４が現在の画面表示を表す活性状態表示としてたとえば、網掛け表示、着色表示、コントラストなどにより、他の入力タブ１１２−３、１１２−５と区別する表示形態とすればよい。
【０１２０】
リンクボタン１１２−６は提案メニュー４２にリンクし、リンクボタン１１２−７は提案書４３−１にリンクし、リンクボタン１１２−８はヘルプ情報にリンクする。
【０１２１】
テーブル１１４は、複数の入力項目に対応する項目欄、入力欄、単位欄、デフォルト欄を含むテーブルが備えられる。項目欄にはたとえば、「上水」、「用水処理量」、「純水処理」、「排水処理」、「下水処理」、「熱回収」、「薬品」、「節電」が含まれる。入力欄には必要な数値が入力可能であり、入力をガイドするたとえば、網掛け表示、着色表示、コントラストなどにより、他の欄と区別されている。このテーブル１１４には各項目毎にチェックボックス１２２−１、１２２−２・・・１２２−８が備えられ、熱回収項目にはリンクボタン１２４が備えられる。チェックボックス１２２−１〜１２２−８には選択項目にチェックを入れることが可能である。リンクボタン１２４は単価計算にリンクし、タッチにより単価計算に遷移する。
【０１２２】
テーブル１１６にはたとえば、「回収装置電気／薬品単価」が明示され、入力項目に対応する項目、入力、単位、デフォルトの各欄が備えられる。
【０１２３】
テーブル１１８はウインドウ表示であり、この例では、「薬品」について明示されている。このテーブル１１８には項目欄、入力欄、単位欄およびデフォルト欄が含まれる。デフォルト欄には入力情報とは別に予め準備されたデフォルト値が入力されている。このデフォルト値は過去の実績から算定される。「薬品」は、「お客様設備処理単価」の「薬品」の項目が選択された際に表示され、その他の場合は非表示とすればよい。
【０１２４】
リンク部１２０にあるリンクボタン１２０−１は前画面への遷移「戻る」に対応し、リンクボタン１２０−２は次画面への遷移「次へ」に対応する。タッチにより前画面または次画面への遷移が可能である。
【０１２５】
＜単価入力４４−１２への入力＞
【０１２６】
単価入力４４−１２では、「お客様設備処理単価」の何れかの項目欄をタッチし、選択する項目にチェックを入れる。たとえば、項目中「上水」、「用水処理」および「薬品」がチェック可能である。チェックした項目は節水メリットに計上され、チェックを外した項目は非計上となる。この例では、チェック箇所が他の箇所と異なる着色表示となる。
【０１２７】
チェックした項目について、入力欄に顧客条件に合った単価を入力すればよい。たとえば、「用水処理」では顧客条件に合う単価を表す値が入力されている。単価を入力しなければ、デフォルト欄にあるデフォルト値が単価として自動的に選択され、この値がメリット計算に用いられる。デフォルト値は過去の実績値を基に設定すればよい。
【０１２８】
＜単価計算の処理＞
【０１２９】
図２０は、単価の処理の推移を示している。たとえば、図１９に示す単価入力４４−１２の所望のチェックボックス１２２−６にチェックを入れ、「単価計算」が明示されているリンクボタン１２４にタッチすると、図２０のＡに示すように、単価計算シート４４−１２１に遷移する。
【０１３０】
単価計算シート４４−１２１には、タイトル部１２６、計算に使用する単価などの入力情報を入力する入力欄や計算結果を表示する表示欄としてたとえば、単価入力１２８、詳細条件入力１３０、計算欄１３２、メリットと単価欄１３４が含まれる。タイトル部１２６にはリンクボタン１２６−１、１２６−２が含まれる。
【０１３１】
この単価入力１２８には「省エネ単価」や「蒸気単価」がたとえば予め準備されている数値から選択される。詳細条件入力１３０には、回収水温度、従来水温度、熱量回収効率、回収水量、水比熱、蒸気温度の入力が可能である。一例として、熱回収単価または省エネ単価、水温、熱交換効率を入力すればよい。入力値がない場合には、実績に基づいたデフォルト値が用いられる。
【０１３２】
計算欄１３２では、回収水熱量、回収熱量、潜熱、蒸気使用量が算出され、その算出結果が表示される。回収水熱量、回収熱量、潜熱には注釈として用いられる計算式を表示してもよい。
【０１３３】
メリットと単価欄１３４には図２０のＢに示すように、メリットを表す価額、単価および省エネ単価が同時に表示される。
【０１３４】
この単価計算シート４４−１２１のリンクボタン１２６−２にタッチすれば、この単価計算シート４４−１２１の前画面に遷移することができる。
【０１３５】
＜運転条件入力４４−１３＞
【０１３６】
単価入力４４−１２から遷移した運転条件入力４４−１３には図２１に示すように、タイトル部１３６、テーブル１３８、１４０、リンク部１４２が含まれる。
【０１３７】
タイトル部１３６にはタイトル１３６−１、ガイド１３６−２、入力タブ１３６−３、１３６−４、１３６−５、リンクボタン１３６−６、１３６−７、１３６−８が含まれる。
【０１３８】
タイトル１３６−１には他の画面と同様に、提案メニュー４２から選択されたアイディア７０−１の「Ｘ１」が表示されている。
【０１３９】
ガイド１３６−２には処理手順の第１段階を表すたとえば、「ＳＴＥＰ２：データを入力してください」が表示される。
【０１４０】
入力タブ１３６−３、１３６−４、１３６−５は同様に、画面の遷移方向を示唆する矢印内に、ボタンの種別を表す「水量入力」、「単価入力」、「運転条件入力」が明示される。
【０１４１】
＜運転条件入力４４−１３への入力＞
【０１４２】
この運転条件入力４４−１３では、入力タブ１３６−５が現在画面を表す活性状態表示としてたとえば、網掛け表示、着色表示、コントラストなどにより、他の入力タブ１３６−３、１３６−４と区別する表示形態とすればよい。
【０１４３】
リンクボタン１３６−６は提案メニュー４２にリンクし、リンクボタン１３６−７は提案書４３−１にリンクし、リンクボタン１３６−８はヘルプ情報にリンクしている。
【０１４４】
テーブル１３８は、複数の入力項目に対応する項目欄、入力欄、単位欄を含むテーブルが備えられる。項目欄には「導電率」、「濁度」、「ＴＯＣ」、「遊離有効塩素」に対し、「良質排水」、「回収水」、「回収水ご使用先」、「単位」が含まれる。入力欄には必要な数値が入力可能であり、入力をガイドするたとえば、網掛け表示、着色表示、コントラストなどにより、他の欄と区別されている。
【０１４５】
テーブル１４０は、タイトルとともに入力項目が明示され、この入力項目に対応する項目として「水回収率」、「設計水量」に対して「入力」、「単位」、「デフォルト」、リンクボタン１４０−１が備えられる。リンクボタン１４０−１は回収装置実績にリンクし、タッチにより回収装置画面に遷移することができる。
【０１４６】
リンク部１４２にはリンクボタン１４２−１、１４２−２が備えられる。リンクボタン１４２−１は前画面への遷移「戻る」に対応し、リンクボタン１４２−２は次画面への遷移「次へ」に対応する。タッチにより前画面または次画面への遷移が可能である。
【０１４７】
＜実施例の効果＞
【０１４８】
上記実施例によれば、次のような効果が得られる。
【０１４９】
(1) 上記実施例によれば、コンピュータを用いた支援ツールとして実現でき、提案者と顧客との間の情報交換に利用でき、提案者からの情報を顧客に的確に伝達でき、顧客から提示される課題を反映した提案を即座に情報や画像として提示することができる。
【０１５０】
(2) ＰＣ、スマートフォン、タブレット端末などの情報処理端末を用いることにより、客先の水処理システムが持つ現状処理の問題や、現状処理に代わる新規の処理内容をビジュアル的にたとえば、単一画面で表示できる。
【０１５１】
(3) 現状処理の問題点や新規の処理の内容を迅速かつ的確に提示でき、提供したい内容について、画面表示を通して客先と容易に共有できる。提示すべき内容を的確に表示できる一方、客先の要望を反映した画像や文字を表示でき、情報を迅速に共有化できる。
【０１５２】
(4) 表示装置にはＰＣ、スマートフォン、タブレット端末の表示画面を用いて表示できるが、表示装置の大画面を用いて拡大表示し、提案内容のアピール度を高めることができる。
【０１５３】
(5) 提案メニュー４２について、１画面で顧客先、複数のアイディア、節水に関する基礎的情報、処理およびメリットなどの関連情報、マップによりシステム上のアイディアを顧客に提供でき、提案者と顧客間で必要な提案情報を共有できる。
【０１５４】
(6) 提案者が提供したい提案情報を１画面で提供でき、提案者の意図を顧客に迅速に認識させることができる。
【０１５５】
(7) 提案メニュー４２から顧客名で特定される提案情報が複数のアイディアの具体的な項目によって提示され、各タイトルにタッチすれば、リンク先の表示画面に遷移でき、提案者の提案情報、顧客が知りたい情報を即座に明示することができる。
【０１５６】
(8) タイトルで特定される実績装置が存在する場合にはリンクボタンから実績装置を表す画面に遷移し、その内容を展開して即座に認識させることができる。
【０１５７】
(9) 実績マップにはアイディア番号が表示されているので、マップ上にあるシステムと改善提案がリンクしており、提案箇所をマップから容易に認識することができる。
【０１５８】
(10)  システムの原理や処理、そのメリットなどの関連情報について、リンクボタンから必要な情報表示に遷移させることができ、提案内容の説明に手間取ることなく、容易かつ迅速に顧客に提供することができる。
【０１５９】
(11)  提案メニュー４２は複数の関連群のトップメニューを兼用しており、関連群にリンクしている。
【０１６０】
(12)  提案書について、現状や新規の水処理システムを図面化し、その課題やメリットを視認情報として提示でき、現状システムや新規システムを提案者と顧客で共有でき、迅速な情報共有活動を実現できる。
【０１６１】
(13)  顧客の各製造ユニットの存在を前提とし、該製造ユニットを特定するデータの入力処理から現状処理の問題点を抽出し、その内容を提示できる。
【０１６２】
(14)  データ入力処理では、給水または排水の特性データなどから対象ユニットを特定し、全体の使用水量と各工程の種別により、各工程の排水量の概算、コンピュータによる演算処理を用いて、各工程の排水量の算出、算出結果による改善事項の抽出（現状の課題の抽出）を行い、これらの実績に基づくデータベース化を図ることができる。
【０１６３】
(15)  データベースでは処理データ、該処理データに基づく処理システム、該処理システムを用いた処理結果、その最適化情報などの各種データを入力データにより抽出可能に格納し、入力データに基づく最適な処理システムを構築できる。
【０１６４】
(16)  各工程のたとえば、排水に対し、実績データ（データベース）から最適な処理を表す処理フローの選択（現状からの改善処理）を行い、各工程のたとえば、排水に対して、既述のデータベースを用いて最適な処理フローの選択、変更ないし構築を行うことができる。
【０１６５】
(17)  入力した現在情報から処理システムの問題点などを抽出でき、斯かる問題点などを払拭したクライアントの処理内容に適合する新システムを即座に構築できる。
【０１６６】
(18)  データベースに過去の経験、履歴、実績などを参照し、最適且つ合理的な新システムを構築し、提案できる。
【０１６７】
(19)  過去の経験、履歴、実績などをデータベース化して共有できるので、営業担当者の経験値による偏りを防止し、最新の情報を以て新システムを構築できる。営業担当者による個性化を回避でき、提案する新システムの合理化と信頼性を高めることができる。
【０１６８】
(20)  提案情報では、プレゼン資料として出力できるとともに、処理に適さない情報が入力された場合にはたとえば、アラート報知などによっても告知でき、構築システムの信頼性を高めることができる。
【０１６９】
〔他の実施の形態〕
【０１７０】
上記実施の形態では、水処理システム表示装置２にＰＣなどの情報処理端末を用いたが、図２２に示すように、水処理システム表示装置２にホスト装置２−１を連係させて水処理表示システム２−２に構成してもよい。水処理システム表示装置２とホスト装置２−１間の連係は有線または無線のいずれでもよいし、インターネットなどの通信媒体を用いてよい。水処理システム表示装置２には通信部４０−１が備えられ、この通信部４０−１とホスト装置２−１側の通信部４０−２と有線または無線により通信接続が可能である。
【０１７１】
斯かる構成によれば、水処理システム表示装置２では既述のように情報処理部６−１や記憶部１０−１、ＤＢ１４−１を備えているので、ホスト装置２−１と独立した処理が可能であるが、必要に応じてホスト装置２−１に対し、処理やデータ要求を行い、必要な処理結果の提供を受けることができる。ホスト装置２−１の情報処理部６−２は水処理システム表示装置２からのデータ要求などに応答し、記憶部１０−２にあるＤＢ１４−２から必要なデータを水処理システム表示装置２に提供できる。
【０１７２】
＜他の実施の形態の効果＞
【０１７３】
(1) この水処理表示システム２−２によれば、ホスト装置２−１にデータ処理を分担させることができ、既述の処理手順（図２）による処理をホスト装置２−１との協調により実行させることができる。
【０１７４】
(2) ホスト装置２−１側の記憶部１０−２に情報源となるＤＢ１４−２を構築でき、ＤＢ１４−２にある情報を水処理システム表示装置２側で活用でき、ユーザが必要とする有益な情報を迅速且つ精緻に提供することができる。
【０１７５】
(3) 単独で既述の水処理システム表示装置２による改善提案などの提示に加え、ホスト装置２−１との連係により、ホスト装置２−１側にあるＤＢ１４−２から膨大なデータを提供でき、ホスト装置２−１側で処理した高度な処理結果を水処理システム表示装置２に提供できる。
【０１７６】
以上説明したように、本発明の最も好ましい実施形態等について説明した。本発明は、上記記載に限定されるものではない。特許請求の範囲に記載され、または明細書に開示された発明の要旨に基づき、当業者において様々な変形や変更が可能であることは勿論である。斯かる変形や変更が、本発明の範囲に含まれることは言うまでもない。
【産業上の利用可能性】
【０１７７】
本発明は、水処理システムのシステム構成、処理内容、処理メリットなどの現状または提案情報をたとえば、画像表示によって提供でき、営業や開発活動で用いる支援ツールとして提供でき、有益である。
【符号の説明】
【０１７８】
２  水処理システム表示装置
２−１  ホスト装置
２−２  水処理表示システム
４  情報入力部
６、６−１、６−２  情報処理部
８  情報提示部
１０、１０−１、１０−２、３４  記憶部
１２  バス
１４、１４−１、１４−２  データベース（ＤＢ）
１６  表示画面
１８−１  第１の表示部
１８−２  第２の表示部
１８−３  第３の表示部
２０−１  システム情報
２０−２  処理情報
２０−３  メリット情報
２２  要素
２２Ｍ  要素群
２２−１、２２−２・・・２２−Ｎ  要素
２４  提案者
２５  顧客
２６、２６−１、２６−２  ＰＣ
２８−１  ディスプレイ
２８−２  ディスプレイ装置
３２  プロセッサ
３６  入出力部（Ｉ／Ｏ）
３８  タッチパネル
４０、４０−１、４０−２  通信部
４１  バス
４２  提案メニュー
４３Ｍ  提案書群
４３−１、４３−２・・・４３−１０  提案書
４４−１、４４−２・・・４４−１０  アイディア
４４−１１、４４−２１・・・４４−１０１  水量入力
４４−１２、４４−２２・・・４４−１０２  単価入力
４４−２１  水量入力
４４−２２  単価入力
４４−２３  運転条件入力
４４Ｍ１  水量入力群
４４Ｍ２  単価入力群
４４Ｍ３  運転条件入力群
４４−１３、４４−２３・・・４４−１０３  運転条件入力
４４Ｍ２１  単価計算シート群
４４−１２１、４４−２２１・・・４４−１０２１  単価計算シート
４５Ｍ  回収装置群
４５−１、４５−４、４５−５、４５−６、４５−７、４５−９、４５−１０  回収装置
４６−１  関連情報
４６−２  関連情報
４８  実績マップ
５０  水処理要素
５２  タンク
５４  ポンプ
５６−１、５６−２・・・５６−Ｎ  改質装置
５６−１１  膜分離装置
５６−１２  逆浸透膜装置
５６−１３  ＵＶ処理殺菌器
５８  制御装置
６０−１、６０−２  ランニングコスト
６０−１１  改質装置
６０−１２  コスト
６０−１２１  頻度
６０−１２２  単価
６０−２１  関係式
６０−２２  ｐＨ調整剤添加量計算式
６０−２３  水質調整剤添加量（塩素濃度など）計算式
６４−１  顧客名
６４−４、６４−５、６４−６  リンクボタン
７０−１  アイディア
７０−２  「提案書作成完了」表示
７２  実績マップ
７４−１、７４−４、７４−５、７４−６、７４−７、７４−９、７４−１０、８４−１、８４−２、８４−３、８４−４、８４−５  ９８−６、９８−７、９８−８、９６−１、１０８−１、１０８−２、１１２−６、１１２−７、１１２−８、１２０−１、１２０−２、１２４、１２６−１、１２６−２、１３６−６、１３６−７、１３６−８、１４０−１、１４２−１、１４２−２  リンクボタン
６４、７６、８６、９８、１１２、１２６、１３６  タイトル部
６４−２、７６−３、９８−１、１１２−１、１３６−１  タイトル
６４−３、９８−２、１１２−２、１３６−２  ガイド
７６−１  提案元
７６−２  顧客名
７８  コメント
７８−１  提案コンセプト
７８−２  改善予想
７８−３  特記
８０  提案情報
８０−１  システムマップ
８０−２  要素
８０−３  比較情報
８０−４  節水量
８０−５  メリット
８０−６  稼働状況
８０−７  矢印
８２  メリット部
８２−１  メリット
８２−２  メリット内訳
８２−３  ランニングコスト
８２−４  イニシャルコスト
８２−５  投資回収年
８４、９６、１０８、１２０、１４２  リンク部
８８  フロー
８８−１  フローチャート
８８−２  実施内容
９０  配置
９０−１  装置
９０−２  内容
９２  要約
９２−１  項目
９２−２  内容
９４  特徴事項
９８−３、９８−４、９８−５、１１２−３、１１２−４、１１２−５、１３６−３、１３６−４、１３６−５  入力タブ
７０、１００、１０２、１１４、１１６、１１８、１３８、１４０、１４４、１４６  テーブル
１０４  水量入力単位
１０４−１  入力部
１０４−２  表示部
１０６  提案書シート反映チェック
１１０  キーボード
１１０−１  置数指示キー
１２２−２、１２２−６  チェックボックス
１２８  単価入力
１３０  詳細条件入力
１３２  計算欄
１３４  単価欄
【図１】
2017182529.tif 000003
【図２】
2017182529.tif 000004
【図３】
2017182529.tif 000005
【図４】
2017182529.tif 000006
【図５】
2017182529.tif 000007
【図６】
2017182529.tif 000008
【図７】
2017182529.tif 000009
【図８】
2017182529.tif 000010
【図９】
2017182529.tif 000011
【図１０】
2017182529.tif 000012
【図１１】
2017182529.tif 000013
【図１２】
2017182529.tif 000014
【図１３】
2017182529.tif 000015
【図１４】
2017182529.tif 000016
【図１５】
2017182529.tif 000017
【図１６】
2017182529.tif 000018
【図１７】
2017182529.tif 000019
【図１８】
2017182529.tif 000020
【図１９】
2017182529.tif 000021
【図２０】
2017182529.tif 000022
【図２１】
2017182529.tif 000023
【図２２】
2017182529.tif 000024